(57)【要約】【課題】刃カバーが取り付けたままになるとともに、この刃カバーが使用時に全く邪魔にならないようにすることのできるＴ型安全カミソリを提供すること。【解決手段】刃カバー３０を、ヘッド２０の下面を覆うカバー部と、このカバー部の両側に一体的に形成されて、刃体支持部１１の両側に向けて延在する回動アーム３２とにより構成するとともに、刃体支持部１１の先端両側に、回動アーム３２を回動軸３１によって回動可能に連結したこと。【選択図】図３
2008073203.tif 000002
【特許請求の範囲】
【請求項１】
グリップの先端の刃体支持部に、前記グリップと直交することになるカミソリ刃を保持するヘッドを連結し、このヘッド及びこれに保持させた前記カミソリ刃を刃カバーによって包み込めるようにしたＴ型安全カミソリにおいて、
前記刃カバーを、前記ヘッドの下面を覆うカバー部と、このカバー部の両側に一体的に形成されて、前記刃体支持部の側面に向けて延在する回動アームとにより構成するとともに、
前記刃体支持部の先端両側に、前記回動アームを回動軸によって回動可能に連結したことを特徴とする刃カバーを有するＴ型安全カミソリ。
【請求項２】
前記刃カバー側の前記回動アームの、前記回動軸の直近に、前記ヘッド側のアーム部に形成した一つのストッパに係止されることになる前後二つの係止部を形成したことを特徴とする請求項１に記載の刃カバーを有するＴ型安全カミソリ。
【発明の詳細な説明】
【技術分野】
【０００１】
本発明は、Ｔ型安全カミソリに関し、特に、カミソリ刃を包み込む刃カバーを有したＴ型安全カミソリに関するものである。
【背景技術】
【０００２】
Ｔ型安全カミソリは、手に持って使用するのに非常に便利であることから種々なものが提案されてきており、特に近年では、所謂使い捨てのものとしても開発が進んできている。そして、この種の使い捨てされるＴ型安全カミソリでは、そのカミソリ刃部分を刃カバーによって包み込むようにすることがなされている。
【０００３】
従来の刃カバーは、本体とは別体のものとして形成されていたため、本体から分離してそのまま浴室の洗い場上の転がっていってしまうことがあった。この種の刃カバーは、小さいものであり、洗い場のタイルや目地と区別が付かなくなって探すのが大変であったし、場合によってはこの刃カバーが落ちていることを知らずに踏んでしまうということがあった。
【０００４】
このため、本発明者等は、例えば特許文献１にて、刃カバーをヘッドに対して回転自在となるようにしたＴ型安全カミソリを提案したのである。これにより、刃カバーが本体側に繋がっていて脱落することがないため、前述したような問題はなくなった。
【特許文献１】特開２００３−２３６２７２号公報、要約、代表図
【発明の開示】
【発明が解決しようとする課題】
【０００５】
特許文献１の発明は、「この種の刃カバーを有するＴ型安全カミソリの使用勝手をさらに向上させること」を目的としてなされたもので、図８及び図９に示すように、「グリップの先端に、これと直交することになるカミソリ刃を保持するヘッドを連結し、このヘッド及びこれに保持させた前記カミソリ刃を刃カバーによって包み込めるようにしたＴ型安全カミソリにおいて、前記グリップの前記ヘッドに対する連結を、間に指入れ空間を形成することになる２本の略板状の連結部によって行うとともに、前記刃カバーに、これにより前記カミソリ刃等を包み込んだとき、前記ヘッドまたはカミソリ刃に形成した第一係止部分に係合する第一係合部を形成し、この刃カバーに、これが外されて前記グリップの内側に回動されたとき、グリップ側の第二係止部分に係合する第二係合部を形成するとともに、前記指入れ空間内で臨むことになる突出部を形成したこと」といった構成を有したものである。
【０００６】
この特許文献１のＴ型安全カミソリによれば、「刃カバー４０によるカミソリ刃３０の包み込み状態及び開放状態の両状態を確実に維持することができることは当然として、開放状態にあった刃カバー４０の再度の閉止状態への操作を、２本の連結部１５間に形成されている指入れ空間１６内に指を差し入れることにより、簡単に行える」ものとなっているのであるが（特許文献１の段落００１５）、外された刃カバーは、図９にも示すように、グリップの連結部の下側になるため、当該カミソリの使用時に邪魔になる場合もあり得るものとなっている。
【０００７】
そこで、本発明者等が、当該Ｔ型カミソリの使用時に刃カバーが全く邪魔にならないようにするにはどうしたらよいか、について種々検討を重ねてきた結果、本発明を完成したのである。
【０００８】
すなわち、本発明の目的とするところは、刃カバーが取り付けたままになるとともに、この刃カバーが使用時に全く邪魔にならないようにすることのできるＴ型安全カミソリを提供することにある。
【課題を解決するための手段】
【０００９】
以上の課題を解決するために、まず、請求項１に係る発明の採った手段は、後述する最良形態の説明中で使用する符号を付して説明すると、
「グリップ１０の先端の刃体支持部１１に、グリップ１０と直交することになるカミソリ刃２１を保持するヘッド２０を連結し、このヘッド２０及びこれに保持させたカミソリ刃２１を刃カバー３０によって包み込めるようにしたＴ型安全カミソリ１００において、
刃カバー３０を、ヘッド２０の下面を覆うカバー部３０ａと、このカバー部３０ａの両側に一体的に形成されて、刃体支持部１１の両側に向けて延在する回動アーム３２とにより構成するとともに、
刃体支持部１１の先端両側に、回動アーム３２を回動軸３１によって回動可能に連結したことを特徴とする刃カバー３０を有するＴ型安全カミソリ１００」
である。
【００１０】
すなわち、この請求項１に係るＴ型安全カミソリ１００は、図１の（ａ）及び（ｂ）に示すように、そのグリップ１０の先端に形成した刃体支持部１１に、グリップ１０と直交することになるカミソリ刃２１を保持するヘッド２０を連結し、このヘッド２０及びこれに保持させたカミソリ刃２１を刃カバー３０によって包み込めるようにしたものである。なお、「ヘッド２０の連結」とは、ヘッド２０が替え刃タイプのものであって、グリップ１０に対して交換自在である場合は勿論、グリップ１０に対して一体化されていて、グリップ１０とともに使い捨てする場合も含むものである。
【００１１】
また、この請求項１に係るＴ型安全カミソリ１００は、図４の（ａ）及び（ｂ）に示すように、刃カバー３０を、ヘッド２０の下面を覆うカバー部３０ａと、このカバー部３０ａの両側に一体的に形成した回動アーム３２とにより構成するとともに、グリップ１０の刃体支持部１１の先端両側に、刃カバー３０の回動アーム３２を回動軸３１によって回動可能に連結したものである。
【００１２】
以上のように構成した本発明に係るＴ型安全カミソリ１００では、図４の（ａ）に示すように、これを使用しない場合には、ヘッド２０及びカミソリ刃２１は刃カバー３０によってほぼ完全に包み込まれた状態になる。つまり、図２の（ｂ）に示すように、刃カバー３０を構成しているカバー部３０ａがヘッド２０の下面を完全に覆っているのである。このため、当該Ｔ型安全カミソリ１００を手に持ったり、鞄に入れておいたものを取り出す場合などにおいて、手指をカミソリ刃２１によって傷付けることが防止されている。
【００１３】
次に、当該Ｔ型安全カミソリ１００を使用するために、刃カバー３０を、図４の（ａ）に示した状態から同（ｂ）に示すような状態に引き起こす。このときには、刃カバー３０のカバー部３０ａはグリップ１０の上側に移動して、図４の（ｂ）に示すように、ヘッド２０の下側は完全なオープンな状態となる。従って、グリップ１０の下側にカミソリ刃２１が露出することになるから、ひげ剃りや無駄毛剃りが何等の邪魔ものもない状態で行えるのである。勿論、ひげ剃り等の使用時に、この刃カバー３０が外れてしまうことはない。この刃カバー３０は、その両回動アーム３２が回動軸３１によってグリップ１０の先端部両側に連結されているからである。
【００１４】
なお、後述する最良形態においては、図１等に示すように、この刃カバー３０が有するカバー部３０ａの外側に指が掛けられる開閉突起３４が一体的に形成してあり、この開閉突起３４に指を掛けて押し引きすることにより、当該刃カバー３０の開閉が簡単に行えるようになっている。
【００１５】
従って、この請求項１に係るＴ型安全カミソリ１００は、刃カバー３０が取り付けたままになるとともに、この刃カバー３０が使用時に全く邪魔にならないようになっていて、ひげ剃りや無駄毛剃りが容易に行え、使用勝手のよいものとなっているのである。
【００１６】
上記課題を解決するために、請求項２に係る発明の採った手段は、上記請求項１に記載の刃カバー３０を有するＴ型安全カミソリ１００について、
「刃カバー３０側の回動アーム３２の、回動軸３１の直近に、ヘッド２０側のアーム部２２に形成した一つのストッパ２５に係止されることになる前後二つの係止部３３を形成したこと」
である。
【００１７】
すなわち、この請求項２のＴ型安全カミソリ１００では、例えば図４の（ａ）及び（ｂ）に示すように、刃カバー３０側の回動アーム３２に二つの係止部３３が形成してあり、これらの係止部３３は回動軸３１の直近に位置していて、この回動軸３１を中心にした円周上にあるものである。これらの係止部３３は、グリップ１０に固定されているヘッド２０のアーム部２２に形成してあるストッパ２５に係合するものであり、刃カバー３０が閉じられた状態を示す図４の（ａ）では、一つ目の係止部３３がヘッド２０側のストッパ２５の図示右側に位置して、刃カバー３０の閉じ状態を維持しているものである。
【００１８】
一方、刃カバー３０が開かれた状態を示す図４の（ｂ）では、一つ目の係止部３３がストッパ２５を乗り越えて上方に位置し、二つ目の係止部３３がヘッド２０側のストッパ２５の図示右側に係止して、刃カバー３０の解放状態を維持しているものである。勿論、この状態でヘッド２０を下方にすれば、刃カバー３０は閉じ方向に回動することになるが、当該Ｔ型安全カミソリ１００の使用時では、ヘッド２０を上方になるようにしているので、この刃カバー３０が閉じられることはない。
【００１９】
従って、この請求項２のＴ型安全カミソリ１００は、上記請求項１のそれと同様な機能を発揮する他、刃カバー３０の解放状態や閉じ状態の維持を確実に行えるものとなっているのである。
【発明の効果】
【００２０】
以上、説明した通り、本発明においては、
「グリップ１０の先端の刃体支持部１１に、グリップ１０と直交することになるカミソリ刃２１を保持するヘッド２０を連結し、このヘッド２０及びこれに保持させたカミソリ刃２１を刃カバー３０によって包み込めるようにしたＴ型安全カミソリ１００において、
刃カバー３０を、ヘッド２０の下面を覆うカバー部３０ａと、このカバー部３０ａの両側に一体的に形成されて、刃体支持部１１の両側に向けて延在する回動アーム３２とにより構成するとともに、
刃体支持部１１の先端両側に、回動アーム３２を回動軸３１によって回動可能に連結したこと」
にその構成上の主たる特徴があり、これにより、刃カバー３０が取り付けたままになるとともに、この刃カバー３０が使用時に全く邪魔にならないようにすることができて、使用勝手のよいＴ型安全カミソリ１００を提供することができたのである。
【発明を実施するための最良の形態】
【００２１】
次に、上記のように構成した各請求項に係る発明を、図面に示した最良の形態であるＴ型安全カミソリ１００について説明するが、この最良形態のＴ型安全カミソリ１００は、上記各請求項に係る発明の全てを含むものである。
【００２２】
図１には、本発明に係るＴ型安全カミソリ１００の斜視図が示してあり、（ａ）には刃カバー３０によってカミソリ刃２１を覆ったときの斜視図が、（ｂ）には刃カバー３０を開放したときの斜視図がそれぞれ示してある。このＴ型安全カミソリ１００は、図２及び図３にも示したように、グリップ１０の先端である刃体支持部１１にカミソリ刃２１を有するヘッド２０を取り付けたものであるが、このヘッド２０の取り付けは、グリップ１０に対して一体的であっても、また交換自在であってもよいものである。
【００２３】
本最良形態に係るヘッド２０は、３枚一組のカミソリ刃２１を有するものであり、図１にも示したように、左右一対のアーム部２２の間に揺動自在に支持されているものである。つまり、本最良形態のＴ型安全カミソリ１００において、左右一対のアーム部２２は、ヘッド２０と一体的な差込部２３の先端に一体化されたものであるが、図６及び図７に示したように、これら各アーム部２２にはヘッド２０を揺動自在に支持するための揺動軸２２ａがそれぞれ形成してある。
【００２４】
各揺動軸２２ａの形成位置は、ヘッド２０側であっても、また刃体支持部１１側であってもよいものではあるが、この揺動軸２２ａに、図７にも示したように、ヘッド２０側のアーム部２２を軸止して、ヘッド２０が揺動可能になるようにしたものである。これにより、当該ヘッド２０は、グリップ１０に対して揺動することになり、ひげ剃り時において、カミソリ刃２１を顔の曲面に沿った適宜な角度で移動させることができるものとなっているのである。
【００２５】
ヘッド２０の各アーム部２２には、図３及び図４に示したように、ヘッド２０を図示反時計方向に付勢するスプリング部２４が一体的に形成してあり、このスプリング部２４の付勢力によって、ヘッド２０は図示した状態に常に戻るものとなっている。つまり、このヘッド２０は、所謂「首振り」を行うものである。
【００２６】
また、各アーム部２２のスプリング部２４の内側には一つのストッパ２５が形成してあり、このストッパ２５には、後述する刃カバー３０側の係止部３３が係合するものである。つまり、このストッパ２５は、刃カバー３０側の回動を規制することになるものである。
【００２７】
刃カバー３０は、図１〜図４に示したように、ヘッド２０側のカミソリ刃２１を覆うことになるカバー部３０ａと、このカバー部３０ａの両側に一体的に形成した回動アーム３２を有しているものである。そして、これらの回動アーム３２は、図７にも示したように、刃体支持部１１側の側面に位置する回動軸３１によって回動可能に軸止されるものであり、ヘッド２０のカミソリ刃２１を覆っていたカバー部３０ａを刃体支持部１１の上方、つまり各カミソリ刃２１が露出しているのとは反対側に回動できるものである。
【００２８】
また、各回動アーム３２の、回動軸３１を中心とする円弧上となる部分には、図７等にて示したように、二つの係止部３３が一体的に形成してあり、これら各係止部３３は、ヘッド２０側のストッパ２５に向けて突出し得るものとなっている。これら各係止部３３は、刃カバー３０の閉止位置あるいは開放位置において、この刃カバー３０を固定的にするものであり、当該Ｔ型安全カミソリ１００の使用時において刃カバー３０が邪魔にならないようにするとともに、ヘッド２０を覆った状態の刃カバー３０をヘッド２０に対して固定するものでもある。
【００２９】
なお、本最良形態に係る刃カバー３０では、図３及び図４に示したように、カバー部３０ａの外側に開閉突起３４が一体的に形成してあり、この開閉突起３４に指を掛けて押し引きすることにより、当該刃カバー３０の開放操作や閉じ操作を容易に行えるようにしてある。
【図面の簡単な説明】
【００３０】
【図１】本発明に係るＴ型安全カミソリを示すもので、（ａ）は刃カバーによってカミソリ刃２１を覆ったときの斜視図、（ｂ）は刃カバーを開放したときの斜視図である。
【図２】同Ｔ型安全カミソリを示すもので、（ａ）は平面図、（ｂ）は底面図である。
【図３】同Ｔ型安全カミソリを示すもので、（ａ）は刃カバーによってカミソリ刃２１を覆ったときの側面図、（ｂ）は刃カバーを開放したときの側面図である。
【図４】同Ｔ型安全カミソリを部分的に拡大して示すもので、（ａ）は刃カバーによってカミソリ刃２１を覆ったときの部分拡大側面図、（ｂ）は刃カバーを開放したときの部分拡大側面図である。
【図５】同Ｔ型安全カミソリを示すもので、（ａ）は拡大正面図、（ｂ）は拡大背面図である。
【図６】同Ｔ型安全カミソリを部分的に拡大して示す部分拡大平面図である。
【図７】同Ｔ型安全カミソリの刃カバーを開放したときの部分拡大側面図である。
【図８】従来の技術を示す部分斜視図である。
【図９】図８に示したものの縦断面図である。
【符号の説明】
【００３１】
１００    Ｔ型安全カミソリ
１０    グリップ
１１    刃体支持部
２０    ヘッド
２１    カミソリ刃
２２    アーム部
２２ａ  揺動軸
２３    差込部
２４    スプリング部
２５    ストッパ
３０    刃カバー
３０ａ  カバー部
３１    回動軸
３２    回動アーム
３３    係止部
３４    開閉突起
【図１】
2008073203.tif 000003
【図２】
2008073203.tif 000004
【図３】
2008073203.tif 000005
【図４】
2008073203.tif 000006
【図５】
2008073203.tif 000007
【図６】
2008073203.tif 000008
【図７】
2008073203.tif 000009
【図８】
2008073203.tif 000010
【図９】
2008073203.tif 000011